(57)【要約】【課題】使用する様々な電源に対して、さらに、それぞれの電源に割り付ける負荷を幾つかのグループに分割し、それぞれの電源を個別に電源スイッチＯＮ／ＯＦＦする画像形成装置を提供する。【解決手段】５Ｖ電源は、５Ｖ−１、５Ｖ−２、５Ｖ−３、５Ｖ−４、５Ｖ−５、５Ｖ−６、５Ｖ−７を制御する。各電源の負荷の割付けの切り替えを行い、それぞれの電源において各負荷を制御し、各負荷に対応する電源を、それぞれ独立にスイッチＯＮ／ＯＦＦする。プリンタからの印刷要求がきたことにより、スリープ状態から復帰した場合には、５Ｖ電源は、５Ｖ−１、１２Ｖ−１、２４Ｖ−１のみを通電させ、５Ｖ−１、１２Ｖ−１、２４Ｖ−１の電源のみを通電させ、他の電源は、通電させない。【選択図】図６
2008070642.tif 000002
【特許請求の範囲】
【請求項１】
画像形成装置にて使用する少なくとも１つの電源と、
前記電源に対する負荷を複数の負荷に分散する分散手段と、
前記分散手段により分散した前記複数の負荷を制御する制御手段とを有し、
前記制御手段により前記複数の負荷を制御することで、前記複数の負荷に対応する各電源スイッチを個別にＯＮ／ＯＦＦに切り替えることを特徴とする画像形成装置。
【請求項２】
前記分散手段は、前記各電源に割り付ける負荷のグループ配分をユーザの希望に応じて切り替えることを特徴とする請求項１に記載の画像形成装置。
【請求項３】
前記制御手段は、プリンタからの印刷要求がきたことによりスリープ状態から復帰した場合に、印刷動作に必要となる電源のみ通電するように制御することを特徴とする請求項１に記載の画像形成装置。
【請求項４】
前記制御手段は、ネットワークを用いた機械状態の遠隔監視によりスリープ状態から復帰した場合には、機械状態の遠隔監視に必要となる電源のみ通電するように制御することを特徴とする請求項１に記載の画像形成装置。
【請求項５】
前記制御手段は、ネットワークを用いて複写機に保存されているデータの確認要求によりスリープ状態から復帰した場合には、保存データの確認時に必要となる電源のみ通電とするように制御することを特徴とする請求項１に記載の画像形成装置。
【請求項６】
前記制御手段は、ＦＡＸ受信印刷によりスリープ状態から復帰した場合には、ＦＡＸ受信印刷に必要となる電源のみ通電とするように制御することを特徴とする請求項１に記載の画像形成装置。
【請求項７】
前記制御手段は、ネットワークを用いて複写機へのデータ蓄積要求によりスリープ状態から復帰した場合には、データ蓄積に必要となる電源のみ通電とするように制御することを特徴とする請求項１に記載の画像形成装置。
【請求項８】
前記制御手段は、スキャナ読取り部を使用してセットされた原稿をスキャンする際に、スリープ状態から復帰した場合は、原稿読取りに必要となる電源のみ通電とするように制御することを特徴とする請求項１に記載の画像形成装置。
【請求項９】
前記制御手段は、ネットワーク経由にて複写機に保存されているデータの配信要求の際に、スリープ状態から復帰した場合は、データの配信に必要となる電源のみ通電とするように制御することを特徴とする請求項１に記載の画像形成装置。
【発明の詳細な説明】
【技術分野】
【０００１】
本発明は、省エネルギー機能を有する画像形成装置に関する。
【背景技術】
【０００２】
市場ニーズにより複写機においても省エネの向上が望まれてきた。これまでは機械の状態に応じて消費電力を抑える為に、低電力状態では定着ヒータの維持温度を低く設定してヒータの熱用の電力を抑えたり、スリープ状態ではメインコントローラにまわす一部の電力を除き電源をＯＦＦするなどの対策が行われてきた。その他、省エネ対策としての従来の開発を以下に例示する。
【０００３】
例えば、特許文献１では、直流電流安定化電源の直流出力を２系統以上に分割し、その分割した出力系統は、常時直流電力を出力する第１の出力系統と、外部からの制御信号に応じて直流出力をオンまたはオフにする第２の出力系統とを有し、第２の出力系統に対して、上記制御信号の立ち上がりおよび立ち下がりにエンベロープをかけるための積分回路と、該積分回路の出力により第２の出力系統の直流出力を滑らかにオンまたはオフにするスイッチ回路とを設けることで、電子機器のコストアップや誤動作を抑え、かつ、直流安定化電源を安定して動作させることを可能とする多出力電源供給装置が提案されている。
【０００４】
特許文献２では、画像形成装置の各機能、各モジュールごとに制御部を分割し、少なくとも１つ以上の制御部に複数の電源出力部を介してそれぞれ電源を供給し、複数の制御部をマスタースレーブ構成とし、スレーブ制御部が異常状態であると電源出力を停止する。簡潔な構成で、かつ、複数の制御部に対する電源出力を制御し、各種障害の発生を未然に防止する画像形成装置における電源制御装置が提案されている。
【特許文献１】特開平１０−３９９３６号公報
【特許文献２】特開平８−１７２７２０号公報
【発明の開示】
【発明が解決しようとする課題】
【０００５】
しかしながら、複写機の使用形態には、ネットワーク経由で複写機に保存しているデータの参照や、スキャナ機能を使ってデータの読取りのみ、プリンタ機能を使って印刷のみや通常のコピー（スキャナ機能で原稿の読取り＆プリンタ機能で印刷）など様々なものがあり、それぞれの使用形態に応じて実際に使用する電力には差があるのだが、従来の複写機においては全部の電力をつけてしまっていることが多い。
【０００６】
特許文献２では、簡単な構成で、複数の制御部に対する電源出力を制御しているが、より一層消費電力を下げる為には、より細かく電源を分けて、必要な電力のみをＯＮ／ＯＦＦさせる必要がある。
【０００７】
そこで本発明は、これらの無駄な電力に関して、不要なものは始めから電源を入れずにカットする制御を入れることにより省エネ効率を上げる画像形成装置を提供することを目的とする。
【課題を解決するための手段】
【０００８】
上記目的を解決するために、請求項１に記載の発明は、画像形成装置にて使用する少なくとも１つの電源と、前記電源に対する負荷を複数の負荷に分散する分散手段と、前記分散手段により分散した前記複数の負荷を制御する制御手段とを有し、前記制御手段により前記複数の負荷を制御することで、前記複数の負荷に対応する各電源スイッチを個別にＯＮ／ＯＦＦに切り替えることを特徴とする画像形成装置であることを特徴とする。
【０００９】
請求項２に記載の発明は、請求項１に記載の画像形成装置において、前記分散手段は、前記各電源に割り付ける負荷のグループ配分をユーザの希望に応じて切り替えることを特徴とする。
【００１０】
請求項３に記載の発明は、請求項１に記載の画像形成装置において、前記制御手段は、プリンタからの印刷要求がきたことによりスリープ状態から復帰した場合に、印刷動作に必要となる電源のみ通電するように制御することを特徴とする。
【００１１】
請求項４に記載の発明は、請求項１に記載の画像形成装置において、前記制御手段は、ネットワークを用いた機械状態の遠隔監視によりスリープ状態から復帰した場合には、機械状態の遠隔監視に必要となる電源のみ通電するように制御することを特徴とする。
【００１２】
請求項５に記載の発明は、請求項１に記載の画像形成装置において、前記制御手段は、ネットワークを用いて複写機に保存されているデータの確認要求によりスリープ状態から復帰した場合には、保存データの確認時に必要となる電源のみ通電するように制御することを特徴とする。
【００１３】
請求項６に記載の発明は、請求項１に記載の画像形成装置において、前記制御手段は、ＦＡＸ受信印刷によりスリープ状態から復帰した場合には、ＦＡＸ受信印刷に必要となる電源のみ通電するように制御することを特徴とする。
【００１４】
請求項７に記載の発明は、請求項１に記載の画像形成装置において、前記制御手段は、ネットワークを用いて複写機へのデータ蓄積要求によりスリープ状態から復帰した場合には、データ蓄積に必要となる電源のみ通電するように制御することを特徴とする。
【００１５】
請求項８に記載の発明は、請求項１に記載の画像形成装置において、前記制御手段は、スキャナ読取り部を使用してセットされた原稿をスキャンする際に、スリープ状態から復帰した場合は、原稿読取りに必要となる電源のみ通電するように制御することを特徴とする。
【００１６】
請求項９に記載の発明は、請求項１に記載の画像形成装置において、前記制御手段は、ネットワーク経由にて複写機に保存されているデータの配信要求の際に、スリープ状態から復帰した場合は、データの配信に必要となる電源のみ通電するように制御することを特徴とする。
【発明の効果】
【００１７】
本発明によれば、使用する様々な電源に対して、さらに、それぞれの電源に割り付ける負荷を幾つかのグループに分割し、それぞれの電源を個別に電源スイッチＯＮ／ＯＦＦする画像形成装置を提供することを可能とする。
【発明を実施するための最良の形態】
【００１８】
本実施形態の画像形成装置のシステムについて図１を用いて説明する。図１は、本実施形態の画像形成装置の概観図を示す。
【００１９】
自動原稿送り装置（以後ＡＤＦ）１にある原稿台２に、原稿の画像面を上にして置かれた原稿束は、操作部３０上のスタートキー３４が押下されると、一番下の原稿から給送ローラ３、給送ベルト４によってコンタクトガラス６上の所定の位置に給送される。これは、一枚の原稿を給送完了により原稿枚数をカウントアップするカウント機能を有している。給送された原稿は読み取りユニット５０によってコンタクトガラス６上の原稿の画像データを読み取り後、読み取りが終了した原稿は、給送ベルト４及び排送ローラ５によって排出される。さらに、原稿セット検知７にて原稿台２に次の原稿が有ることを検知した場合、前原稿と同様にコンタクトガラス６上に給送される。給送ローラ３、給送ベルト４、排送ローラ５は搬送モータ２６によって駆動される。
【００２０】
第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。読み取りユニット５０にて読み込まれた画像データは、書き込みユニット５７からのレーザによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって排紙トレイ１９に排出される。
【００２１】
転写紙の両面に画像を作像する場合は、各給紙トレイ８〜１０から給紙され作像された転写紙を排紙トレイ１９側に導かないで、両面入紙搬送路１１３に搬送し、反転ユニット１１２でスイッチバック反転し両面搬送ユニット１１１に送る。両面搬送ユニットに送られた用紙は再度縦搬送ユニット１４に送られて裏面に画像を印刷された後に排紙される。
【００２２】
また、転写紙を反転して排出する場合は上記で反転ユニット１１２でスイッチバック反転した用紙を両面ユニットに送らずに反転排紙搬送路１１４に送り出して排紙する。
【００２３】
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００２４】
本実施形態の画像形成装置の操作部について図２を用いて説明する。図２は、本実施形態における画像形成装置の操作部を示す。
【００２５】
操作部３０には、液晶タッチパネル３１、テンキー３２、クリア／ストップキー３３、プリントキー３４、予熱キー３５があり、液晶タッチパネル３１には、機能キー３７、部数、及び画像形成装置の状態を示すメッセージなどが表示される。
【００２６】
ＬＥＤインジケータ３８はアプリケーション切り替えキーと、選択されているアプリケーションを表示し、アプリケーションを選択する事で、選択したアプリケーションの画面が液晶タッチパネルに表示される。初期設定キー３９を押す事で、機械の初期状態を任意にカスタマイズする事が可能である。機械が収納している用紙サイズを設定したり、コピー機能のモードクリアキーを押したときに設定される状態を任意に設定可能である。また、一定時間操作が無いときに優先して選択されるアプリケーション等も選択するとか、国際エネルギースター計画に従った低電力への移行時間の設定や、オートオフ／スリープモードへの移行する時間を設定する事が可能である。
【００２７】
予熱キー３５を押すと、機械は待機状態から、電力低減状態に移行し、定着温度を低下させたり、操作部の表示を消灯する。予熱状態は、国際エネルギースター計画で言う、低電力状態を意味している。また、予熱状態、オフ状態／スリープ状態を解除し、待機状態に移行させるには、この予熱キーを再度押下する。
【００２８】
本実施形態の画像形成装置の操作部の液晶タッチパネルについて図３を用いて説明する。図３は、本実施形態における画像形成装置の操作部の液晶タッチパネルの表示例の一例を示す。
【００２９】
オペレータが液晶タッチパネル３１に表示されたキーにタッチする事で、選択された機能を示すキーが黒く反転する。また、機能の詳細を指定しなければならない場合（例えば変倍であれは変倍値等）は、キーにタッチする事で、詳細機能の設定画面が表示される。このように、液晶タッチパネルは、ドット表示器を使用している為、その時の最適な表示をグラフィカルに行う事が可能である。
【００３０】
連結キー４０は、１台以上の画像形成装置と電気的に接続されている場合に有効なキーである。このキーを押下すると、押下した機械がマスター機となり、接続されている画像形成装置がスレーブ機となり、選択されている機能がコピーであればマスター機の操作部のスタート指示により、マスター機で読み取った原稿画像をスレーブ機でも出力可能となる。
【００３１】
本実施形態の画像形成装置の構成について図４を用いて説明する。図４は本実施形態における画像形成装置の制御方法をブロック図で示す。
【００３２】
メインコントローラ２０は画像形成装置全体を制御する。メインコントローラ２０には、オペレータに対する表示、オペレータからの機能設定入力制御を行う操作部３０、スキャナの制御、原稿画像を画像メモリに書き込む制御、画像メモリからの作像を行う制御等を行う画像処理ユニット（ＩＰＵ）４９、原稿自動送り装置（ＡＤＦ）１等の分散制御装置が接続されている。
【００３３】
また、メインコントローラ２０には複数の画像形成装置に接続して装置の構成および機能情報、動作制御に関する情報の送受信を行うための連結Ｉ／Ｆ４８が接続されている。メインコントローラ２０は連結Ｉ／Ｆ４８を介して接続された画像形成装置の情報を獲得し、動作を設定することにより連結動作の制御を行う、もしくは接続された他の画像形成装置からの要求を獲得し自機の動作の制御を行う。
【００３４】
各分散制御装置とメインコントローラ２０は必要に応じて機械の状態、動作司令のやりとりを行っている。
【００３５】
また紙搬送等に必要なメインモータ２５、各種クラッチ２１〜２４も接続されている。
【００３６】
図１に戻り、画像形成装置の原稿読み取りから、画像の書き込みまでを説明する。
【００３７】
読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第１キャリッジ上に固定されている。原稿像を読み取るときには、光路長が変わらないように、第１キャリッジ第２キャリッジとが２対１の相対速度で機械的に操作される。この光学走査系は、図示しないスキャナ駆動モータにて駆動される。原稿画像は、ＣＣＤイメージセンサ５４によって読み取られ、電気信号に変換されて処理される。
【００３８】
書き込みユニット５７はレーザ出力ユニット５８、結像レンズ５９、ミラー６０で構成され、レーザ出力ユニット５８の内部には、レーザ光源であるレーザダイオード及びモータによって高速で定速回転する多角形ミラー（ポリゴンミラー）が備わっている。書き込みユニット５７から出力されるレーザ光が、画像作像系の感光体１５に照射される。図示しないが感光体１５の一端近傍のレーザビームを照射される位置に、主走査同期信号を発生するビームセンサが配置されている。
【００３９】
本実施形態の画像形成装置の画像処理について図５を用いて説明する。図５は本実施形態における画像処理ユニットの内部構成をブロック図で示す。
【００４０】
露光ランプ５１から照射された光の反射を、ＣＣＤイメージセンサ５４にて光電変換し、Ａ／Ｄコンバータ６１にてデジタル信号に変換する。デジタル信号に変換された画像信号は、シェーディング補正６２がなされた後、画像処理部６３にてＭＴＦ補正、γ補正等がなされる。変倍部７２を経由した画像信号は変倍率に合わせて拡大縮小され、セレクタ６４に流れる。セレクタ６４では、画像信号の送り先を、書き込みγ補正ユニット７１または、画像メモリコントローラ６５への切り替えが行われる。書き込みγ補正ユニット７１を経由した画像信号は作像条件に合わせて書き込みγが補正され、書き込みユニット５７に送られる。画像メモリコントローラ６５とセレクタ６４間は、双方向に画像信号を入出力可能な構成となっている。また、画像メモリコントローラ６５等への設定や、読み取り部５０書き込み部５７の制御を行うＣＰＵ６８、及びそのプログラムやデータを格納するＲＯＭ６９、ＲＡＭ７０を備えている。更にＣＰＵ６８は、メモリコントローラ６５を介して、画像メモリ６６のデータの書き込み、読み出しが行える。
【００４１】
連結Ｉ／Ｆ４８は画像情報の送受信のため、メモリメモリコントローラのデータバスに接続され、データの入出力が可能な構成になっている。画像形成装置間のデータ転送速度に応じて、画像情報は画像メモリ６６を介して転送される。すなわち、画像出力時にはメモリコントローラ６５から画素メモリ６６に画像データを格納した後、画像形成装置間のデータ転送速度に応じて順次画像メモリ６６からデータを読み出して、連結Ｉ／Ｆにデータを転送する。画像出力時には連結Ｉ／Ｆより転送される画像データを画像メモリ６６に格納した後、画像メモリ６６からメモリコントローラ６５を介して装置内部で画像データの処理を行う。上述の構成により、画像形成装置の機能の制約を受けることなく連結動作の実現が可能となる。
【００４２】
原稿画像で画像メモリコントローラ６５へ送られた画像は、画像メモリコントローラ内にある画像圧縮装置によって画像データを圧縮した後、画像メモリ６６に送られる。
ここで画像圧縮する理由は、最大画像サイズ分の２５６階調のデータをそのまま画像メモリ６６に書き込む事も可能であるが、１枚の原稿画像で画像メモリを大変多く使用する。画像圧縮を行う事で、画像限られた画像メモリを有効に利用できる。また、一度に多くの原稿画像データを記憶することが出来るため、ソート機能として、貯えられた原稿画像イメージデータをページ順に出力する事ができる。この場合画像を出力する際に画像メモリ６６のデータをメモリコントローラ６５内の伸長装置で順次伸長しながら出力を行う。このような機能は一般に「電子ソート」と呼ばれている。
【００４３】
また画像メモリの機能を利用して、複数枚の原稿画像を、画像メモリの転写紙一枚分のエリアを分割したエリアに順次読み込む事も可能となる。例えば４枚の原稿画像を、画像メモリの転写紙一枚分の４等分されたエリアに順次書き込む事で、４枚の原稿が一枚の転写紙イメージに合成され集約されたコピー出力を得ることが可能となる。このような機能は一般に「集約コピー」と呼ばれている。
【００４４】
画像メモリ６６の画像はＣＰＵ６８からアクセス可能な構成となっている。このため画像メモリの内容を加工することが可能であり、例えば画像の間引き処理、画像の切り出し処理等が行える。加工には、メモリコントローラ６５のレジスタにデータを書き込む事で画像メモリの処理を行う事ができる。加工された画像は再度画像メモリに保持される。
【００４５】
また、画像メモリ６６の内容をＣＰＵ６８が読みだし、Ｉ／Ｏポート６７を経て、画像データ７３として操作部３０に転送することが可能な構成となっている。一般に、操作部３０の画面表示解像度は低い為、画像メモリ６６の原画像は画像間引きが行われ操作部３０に送られる。
【００４６】
画像メモリ６６は、多くの画像データを収納するためハードディスクが用いられる事もある。ハードディスクを用いる事により、外部電源が不用で永久的に画像を保持できる特徴もある。
【００４７】
複数の定型の原稿（フォーマット原稿）をスキャナで読み込み保持するためには、このハードディスクが用いられるのが一般的である。
【００４８】
本実施形態の電源制御について図６を用いて説明する。図６（ａ）は、本実施形態における各電源への負荷の割付けの切換およびそれぞれ独立にＯＮ／ＯＦＦするＳＷ機能を示す。図６（ｂ）は、本実施形態におけるユーザ毎に電源割付けを切り替える一例を示す。
【００４９】
本実施形態では、図６（ａ）に示すように、いくつかの電源に分けて、さらに、各電源に割り付ける負荷をグループ毎に分割する。ここで、本実施形態では、図６（ａ）に示す５Ｖ−１、１２Ｖ−１、２４Ｖ−１を印刷操作に必要な電源とし、５Ｖ−２、１２Ｖ−２、２４Ｖ−２を機械状態の遠隔監視に必要な電源とし、５Ｖ−３、１２Ｖ−３、２４Ｖ−３を保存データの確認時に必要となる電源とし、５Ｖ−４、１２Ｖ−４、２４Ｖ−４をＦＡＸ時に必要となる電源とし、５Ｖ−５、１２Ｖ−５、２４Ｖ−５を、情報を画像形成装置のＲＡＭやＲＯＭの記録媒体にてデータを蓄積する際に必要な電源とし、５Ｖ−６、１２Ｖ−６、２４Ｖ−６を読取ユニットにて画像読み取る際に必要な電源とし、５Ｖ−７、１２Ｖ−７、２４Ｖ−７をデータの配信時に必要な電源とする。本実施形態では、このように電源の負荷を配分したが、それぞれの目的に応じて、またその配分の仕方は、拘束されない。これにより、サービスマンの要望に応じて切り替えることが可能となり、使用形態に即した電源制御をすることが可能となる。
【００５０】
本実施形態では、上記のように、５Ｖ−１、５Ｖ−２、５Ｖ−３、５Ｖ−４、５Ｖ−５、５Ｖ−６、５Ｖ−７、１２Ｖ−１、１２Ｖ−２、１２Ｖ−３、１２Ｖ−４、１２Ｖ−５、１２Ｖ−６、１２Ｖ−７、２４Ｖ−１、２４Ｖ−２、２４Ｖ−３、２４Ｖ−４、２４Ｖ−５、２４Ｖ−６、２４Ｖ−７を、電源によって負荷を分配し、それぞれ５Ｖ電源は、５Ｖ−１、５Ｖ−２、５Ｖ−３、５Ｖ−４、５Ｖ−５、５Ｖ−６、５Ｖ−７を制御し、１２Ｖ電源は、１２Ｖ−１、１２Ｖ−２、１２Ｖ−３、１２Ｖ−４、１２Ｖ−５、１２Ｖ−６、１２Ｖ−７を制御し、２４Ｖ電源は、２４Ｖ−１、２４Ｖ−２、２４Ｖ−３、２４Ｖ−４、２４Ｖ−５、２４Ｖ−６、２４Ｖ−７を個別に制御する。これにより、各電源に割り付ける負荷を分け、それぞれを個別に制御することで、必要な電源のみをＯＮ／ＯＦＦすることが可能となる。
【００５１】
本実施形態では、各電源の負荷の割付けの切り替えを行い、それぞれの電源において各負荷を制御し、各負荷に対応する電源を、それぞれ独立にスイッチＯＮ／ＯＦＦする。本実施形態では、上記のように電源の負荷を配分しており、プリンタからの印刷要求がきたことにより、スリープ状態から復帰した場合には、上述した５Ｖ−１、１２Ｖ−１、２４Ｖ−１のみを通電させる。この時に、５Ｖ−１、１２Ｖ−１、２４Ｖ−１の電源のみを通電させ、他の電源は、通電させない。これにより、プリンタ印刷に必要な電力のみを通電させてそれ以外の不要な電力消費を抑えることにより、省エネ効率を上げることが可能となる。
【００５２】
ネットワークを用いた機械状態の遠隔監視によりスリープ状態から復帰した場合には、印刷動作に必要な５Ｖ−２、１２Ｖ−２、２４Ｖ−２のみを通電させる。この時に、５Ｖ−２、１２Ｖ−２、２４Ｖ−２の電源のみを通電させ、他の電源は、通電させない。これにより、ネットワーク経由での機械状態の遠隔監視に必要な電力のみを通電させてそれ以外の不要な電力消費を抑えることにより、省エネ効率を上げることが可能となる。
【００５３】
ネットワークを用いて複写機に保存されているデータの確認要求によりスリープ状態から復帰した場合には、保存データの確認に必要な５Ｖ−３、１２Ｖ−３、２４Ｖ−３の電源のみを通電させる。この時に、５Ｖ−３、１２Ｖ−３、２４Ｖ−３の電源のみを通電させ、他の電源は、通電させない。これにより、ネットワーク経由での複写機に保存データの確認に必要な電力のみを通電させてそれ以外の不要な電力消費を抑えることにより、省エネ効率を上げることが可能となる。
【００５４】
ＦＡＸ受信印刷によりスリープ状態から復帰した場合には、ＦＡＸ受信印刷に必要な５Ｖ−４、１２Ｖ−４、２４Ｖ−４の電源のみを通電させる。この時に、５Ｖ−４、１２Ｖ−４、２４Ｖ−４の電源のみを通電させ、他の電源は、通電させない。これにより、FAX受信印刷に必要な電力のみを通電させてそれ以外の不要な電力消費を抑えることにより、省エネ効率を上げることが可能となる。
【００５５】
ネットワークを用いて複写機へのデータ蓄積要求によるスリープ状態から復帰した場合には、データ蓄積に必要な５Ｖ−５、１２Ｖ−５、２４Ｖ−５の電源のみを通電させる。この時に、５Ｖ−５、１２Ｖ−５、２４Ｖ−５の電源のみを通電させ、他の電源は、通電させない。これにより、ネットワーク経由での複写機へのデータ蓄積に必要な電力のみを通電させてそれ以外の不要な電力消費を抑えることにより、省エネ効率を上げることが可能となる。
【００５６】
読み取りユニットを用いてセットされた原稿をスキャンする際に、スリープ状態から復帰した場合には、読取ユニットによる読取に必要な５Ｖ−６、１２Ｖ−６、２４Ｖ−６の電源のみを通電させる。この時に、５Ｖ−６、１２Ｖ−６、２４Ｖ−６の電源のみを通電させ、他の電源は、通電させない。これにより、原稿スキャナ読取りに必要な電力のみを通電させてそれ以外の不要な電力消費を抑えることにより、省エネ効率を上げることが可能となる。
【００５７】
ネットワーク経由にて複写機に保存されているデータの配信要求により、スリープ状態から復帰した場合には、データの配信に必要な５Ｖ−７、１２Ｖ−７、２４Ｖ−７の電源のみを通電させる。この時に、５Ｖ−７、１２Ｖ−７、２４Ｖ−７の電源のみを通電させ、他の電源は、通電させない。これにより、ネットワーク経由での複写機に保存されているデータの配信に必要な電力のみを通電させてそれ以外の不要な電力消費を抑えることにより、省エネ効率を上げることが可能となる。
【００５８】
また本実施形態では、ユーザ毎に電源を割付けることも可能であり、図６（ｂ）に示すのは、（１）ユーザＡは、５Ｖ（５Ｖ−１〜５Ｖ−３）、１２Ｖ（１２Ｖ−１〜１２Ｖ−３）、２４Ｖ（２４Ｖ−１〜２４Ｖ−３）（２）ユーザＢは、５Ｖ（５Ｖ−１〜５Ｖ−５）、１２Ｖ（１２Ｖ−１〜１２Ｖ−５）、２４Ｖ（２４Ｖ−１〜２４Ｖ−５）（３）ユーザＣは、５Ｖ（５Ｖ−１〜５Ｖ−６）、１２Ｖ（１２Ｖ−１〜１２Ｖ−６）、２４Ｖ（２４Ｖ−１〜２４Ｖ−６）（４）ユーザＤは、５Ｖ（５Ｖ−１〜５Ｖ−４）、１２Ｖ（１２Ｖ−１〜１２Ｖ−４）、２４Ｖ（２４Ｖ−１〜２４Ｖ−４）のようなユーザ毎に電源を割付ける際の例示である。各ユーザ毎にユーザが必要な電源のみを通電し、他の電源には、通電をしない。これにより、ユーザの希望や目的に応じて、各電源への負荷の割付けを切り替えることが可能である。
【００５９】
本実施形態の省エネ状態からの復帰の種類による制御方法について図７を用いて説明する。図７は、本実施形態の省エネ状態からの復帰の種類による制御フローチャート図を示す。
【００６０】
本実施形態では、省エネ状態からの復帰動作時に復帰の種類により必要な電源だけをスイッチＯＮする。復帰動作がプリンタ印刷時の動作からの復帰の場合かどうか判断し（ステップＳ１）、プリンタ印刷時の場合（ステップＳ１／ＹＥＳ）、プリンタ印刷時に必要な電源のみを通電する（ステップＳ２）。本実施形態では、プリンタ印刷時にのみ必要な電源は、５Ｖ−１、１２Ｖ―１、２４Ｖ―１である。プリンタ印刷時ではない場合（ステップＳ１／ＮＯ）、ＦＡＸ受信時による復帰動作かどうか判断し（ステップＳ３）、ＦＡＸ受信時による復帰の場合（ステップＳ３／ＹＥＳ）、ＦＡＸ受信印刷時に必要な電源だけを通電する（ステップＳ４）。本実施形態では、ＦＡＸ受信印刷時に必要な電源は、５Ｖ−４、１２Ｖ―４、２４Ｖ―４である。ＦＡＸ受信時による復帰ではない場合（ステップＳ４／ＮＯ）、遠隔監視時による復帰動作かどうか判断し（ステップＳ５）、遠隔監視時による復帰動作である場合（ステップＳ５／ＹＥＳ）、機械状態の遠隔監視に必要な電源のみを通電する（ステップＳ６）。本実施形態では、遠隔監視時にのみ必要な電源は、５Ｖ−２、１２Ｖ―２、２４Ｖ―２である。遠隔監視時による復帰動作ではない場合（ステップＳ５／ＮＯ）、データ蓄積に必要な電源のみを通電する（ステップＳ７）。本実施形態では、データ蓄積時にのみ必要な電源は、５Ｖ−５、１２Ｖ―５、２４Ｖ―５である。本実施形態では、プリンタ印刷時、ＦＡＸ受信時、遠隔監視時、データ蓄積時の復帰動作で必要な電源を制御する方法を説明したが、省エネからの復帰動作は、これに拘束されることはない。
【００６１】
本実施形態では、それぞれの動作に応じて必要な負荷のみをＯＮ／ＯＦＦすることによって、不要な電力を消費しないことを可能とする。
【図面の簡単な説明】
【００６２】
【図１】本実施形態における画像形成装置の概観図である。
【図２】本実施形態における画像形成装置の操作部を示す図である。
【図３】本実施形態における画像形成装置の操作部の液晶タッチパネルの表示例の一例を示す図である。
【図４】本実施形態における画像形成装置の制御方法を示す図である。
【図５】本実施形態における画像処理ユニットの内部構成を示すブロック図である。
【図６】（ａ）は、本実施形態における各電源への負荷の割付けの切換およびそれぞれ独立にＯＮ／ＯＦＦするＳＷ機能を示す図である。（ｂ）は、本実施形態におけるユーザ毎に電源割付けを切り替える一例を示す図である。
【図７】本実施形態における復帰の種類により必要な電源をＯＮする制御方法を示すフローチャート図である。
【符号の説明】
【００６３】
１    自動原稿送り装置
２    原稿台
３    給送ローラ
４    給送ベルト
５    排送ローラ
６    コンタクトガラス
７    原稿セット検知
８    第１トレイ
９    第２トレイ
１０    第３トレイ
１１    第１給紙ユニット
１２    第２給紙ユニット
１３    第３給紙ユニット
１４    縦搬送ユニット
１５    感光体
１６    搬送ベルト
１７    定着ユニット
１８    排紙ユニット
１９    排紙トレイ
２０    メインコントローラ
２１    中間クラッチ
２２    給紙クラッチ
２３    給紙クラッチ
２４    給紙クラッチ
２５    メインモータ
２６    搬送モータ
２７    現像ユニット
３０    操作部
３１    液晶タッチパネル
３２    テンキー
３３    クリア／ストップキー３３
３４    プリントキー
３５    予熱キー
３７    機能キー
３８    初期設定キー
４０    連結キー
５０    読取ユニット
５１    露光ランプ
５２    第１ミラー
５３    レンズ
５４    ＣＣＤイメージセンサ
５５    第２ミラー
５６    第３ミラー
５７    書込みユニット
５８    レーザ出力ユニット
５９    結像レンズ
６０    ミラー
１１１    両面搬送ユニット
１１２    反転ユニット
１１３    両面入搬送路
１１４    反転排紙搬送路
【図１】
2008070642.tif 000003
【図２】
2008070642.tif 000004
【図３】
2008070642.tif 000005
【図４】
2008070642.tif 000006
【図５】
2008070642.tif 000007
【図６】
2008070642.tif 000008
【図７】
2008070642.tif 000009